(57)【特許請求の範囲】
【請求項１】
箱形収納体の鉛直方向における一側面開口部を閉蓋するように前記収納体の内側に設けられた回転軸中心に水平方向に回転する開閉扉に用いられる煽り止め装置であって、
前記開閉扉用回転軸の近傍に設けられた煽り止め用回転軸と、
前記煽り止め用回転軸を鉛直に支持する支持部を有するとともに前記収納体の内壁に固定される基台と、
前記支持部と煽り止め用回転軸とで水平方向に回転自在に支持されるとともに本体の一端部が前記開閉扉の内溝に係合し該開閉扉の開閉動作に追従して揺動する摺接自在な係合部であるとともに、本体の他端部が前記基台に形成された衝撃止め部に係合して、拡開操作と閉蓋動作とが緩和されるように兼用された回動止め部となっている煽り本体と、
前記煽り本体を所望の範囲内で扉拡開方向と扉閉蓋方向とに回転させようと前記開閉扉用回転軸に係合して付勢する弾性部材と、
からなることを特徴とする煽り止め装置。
【請求項２】
煽り本体の回動止め部は、平板状の板の表裏面から上下に膨出する突出部に形成され、
基台の衝撃止め部は、前記突出部を上下で適宜幅にして摺接して挟むように体向配置に設定された平板と、該両平板において前記突出部が開閉扉の閉蓋直前において回動停止する位置に設けられた貫通孔とであること、
を特徴とする請求項１に記載の煽り止め装置。
【請求項３】
基台の衝撃止め部には、上下で対向配置に設定された平板の間隔を調節する調節手段が設けられていること、
を特徴とする請求項２に記載の煽り止め装置。
【発明の詳細な説明】
【技術分野】
【０００１】
本発明は、箱形収納体の開口部を閉蓋する開閉扉の煽り止め装置に関するものである。
【背景技術】
【０００２】
従来、煽り装置としては、特許文献１に示すように、扉用施錠装置として、扉の先端部に錠前ユニットを固着し、固定枠側の受け部材に前記錠前ユニットのラッチ体を係合させ、前記受け部材に円弧状舌片を設けてその舌片の基端部が前記受け部材に連接され、舌片の自由端部が受け部材の前面側に浮き上がる様にして、前記扉の閉鎖回転時に、前記円弧状舌片に扉の背面を当接させて、この円弧状舌片を弾性変形させ騒音の発生を防止するものが知られている。
【特許文献１】特開平０９−１５８６０７号公報
【発明の開示】
【発明が解決しようとする課題】
【０００３】
しかし、従来の煽り止め装置では、扉の閉蓋時の緩衝材だけであって、扉が開くときには関与していない。また、単に、扉を閉蓋方向に常に付勢するだけの煽り止め装置では、扉の錠前を解錠した際に自動で開かないので、扉に設けた取っ手を利用して手で開ける操作が必要になる。これとは逆に、解錠すると扉が常に開く方向に付勢する煽り装置では、扉に取っ手が不要になるものの、扉が常に全開となって駅前の人混みの中では衝突の危険があり安全性に欠けるものとなる。このように、煽り止めとして、扉開閉の両方の作用に関与して、扉の利便性と安全性の確保を簡易且つ低コストにて実現すべきである。そこで、本発明に係る煽り止め装置は、このような課題を解決するために提案されたものである。
【課題を解決するための手段】
【０００４】
本発明に係る煽り止め装置の上記課題を解決して目的を達成するための要旨は、箱形収納体の鉛直方向における一側面開口部を閉蓋するように前記収納体の内側に設けられた回転軸中心に水平方向に回転する開閉扉に用いられる煽り止め装置であって、前記開閉扉用回転軸の近傍に設けられた煽り止め用回転軸と、前記煽り止め用回転軸を鉛直に支持する支持部を有するとともに前記収納体の内壁に固定される基台と、前記支持部と煽り止め用回転軸とで水平方向に回転自在に支持されるとともに本体の一端部が前記開閉扉の内溝に係合し該開閉扉の開閉動作に追従して揺動する摺接自在な係合部であるとともに、本体の他端部が前記基台に形成された衝撃止め部に係合して、拡開操作と閉蓋動作とが緩和されるように兼用された回動止め部となっている煽り本体と、前記煽り本体を所望の範囲内で扉拡開方向と扉閉蓋方向とに回転させようと前記開閉扉用回転軸に係合して付勢する弾性部材とからなることである。
【０００５】
前記煽り本体の回動止め部は、平板状の板の表裏面から上下に膨出する突出部に形成され、基台の衝撃止め部は、前記突出部を上下で適宜幅にして摺接して挟むように体向配置に設定された平板と、該両平板において前記突出部が開閉扉の閉蓋直前において回動停止する位置に設けられた貫通孔とであることである。また、前記基台の衝撃止め部には、上下で対向配置に設定された平板の間隔を調節する調節手段が設けられていることを含むものである。
【発明の効果】
【０００６】
本発明の煽り止め装置によれば、扉の錠前が解錠されると、弾性部材の拡開方向への付勢力によって扉が小さい角度で拡開し、手で容易に開けられるようになる。更に、手で前記扉を大きく拡開させると、前記弾性力によって逆に扉閉蓋方向に付勢されるようになる。よって、扉を大きく拡開させた後に収納体に荷物を入れて手を扉から離すと、扉は自動的に閉蓋方向へ回動し、基台の衝撃止め部と煽り本体の回動止め部とによって、前記扉が
小さい角度で拡開した状態で停止する。
【０００７】
こうして、扉が若干開いた状態で回動停止するので、そのままであれば、収納体に荷物が無い状態で未使用であることが、目で見て判るし、強風で拡開方向にあおられても、弾性部材で自動的に閉蓋方向に回動され、扉が元の位置に戻る。また、収納体に荷物を入れた後は、手で扉を閉めて施錠する。その際に、前記弾性部材が少し捻られて拡開方向への付勢力が蓄積されることになる。これにより、扉には、取っ手を設ける必要が無くなる。
【０００８】
また、前記煽り本体の回動止め部は、平板状の板の表裏面から上下に膨出する突出部に形成され、基台の衝撃止め部は、前記突出部を上下で適宜幅にして摺接して挟むように体向配置に設定された平板と、該両平板において前記突出部が開閉扉の閉蓋直前において回動停止する位置に設けられた貫通孔とにすることで容易に構成され、低コストで回動止め構造が実現できる。
【０００９】
更に、基台の衝撃止め部には、上下で体向配置に設定された平板の間隔を調節する調節手段が設けられているので、弾性部材の調節や設定に合わせて、扉がスムーズに拡開及び閉蓋するように、調節することができる。
【発明を実施するための最良の形態】
【００１０】
本発明に係る煽り止め装置１は、図１乃至図４に示すように、箱形収納体２の鉛直方向における一側面開口部３を閉蓋するように前記収納体２の内側に設けられた回転軸４中心に水平方向に回転する開閉扉５に用いられるものである。
【００１１】
扉の煽り止め装置１は、前記開閉扉用回転軸４の近傍に設けられた煽り止め用回転軸６と、前記煽り止め用回転軸６を鉛直に支持する支持部７ａを有するとともに前記収納体２の内壁に固定される基台７と、前記支持部７ａと煽り止め用回転軸６とで水平方向に回転自在に支持されるとともに本体の一端部（先端部）が前記開閉扉５の内溝５ａに係合し該開閉扉５の開閉動作に追従して揺動する摺接自在な係合部８ａであるとともに、本体の他端部が前記基台７に形成された衝撃止め部７ｂに係合して、拡開操作と閉蓋動作とが緩和されるように兼用された回動止め部８ｂとなっている煽り本体８と、前記煽り本体８を所望の範囲内で扉拡開方向と扉閉蓋方向とに回転させようと前記開閉扉用回転軸４に係合して付勢する弾性部材９と、で構成されている。
【００１２】
図３乃至図４に示すように、この煽り止め装置１は、一つのユニットにして組立られて完成品となり、これを、例えば、既存の駅前のロッカー等において、開閉扉５用の軸支持部材１０とネジ穴付きの裏板１１を兼用して使用するようにして、ネジ１２の１本で基台７のネジ用孔７ｄに通して共締めにし、前記ネジ１２でロッカー等の収納体２の内壁に、この煽り止め装置１を固定できるものである。このように、新規ロッカーは勿論のこと、既存のロッカーにも本発明の煽り止め装置１を採用することができる。
【００１３】
前記煽り止め装置１の各部品について更に詳細に説明すると、図５（Ａ）〜（Ｅ）に示すように、前記基台７は、前記支持部７ａと、衝撃止め部７ｂとがあり、この支持部７ａは、煽り止め用回転軸６を挿通させる貫通孔７ｊ，７ｋが設けられたコ字型の軸用支持部である。また、前記衝撃止め部７ｂは、前記煽り本体８の回転止め部８ｂである突出部を上下で適宜間隔ａにして摺接して挟むように体向配置に設定された平板７ｆ，７ｇと、該両平板７ｆ，７ｇにおいて前記回転止め部８ｂである突出部が開閉扉５の閉蓋直前において回動停止する位置に設けられた貫通孔７ｍとで構成されている。この貫通孔７ｍは、開閉扉５が閉蓋された状態になるまで、前記回転止め部８ｂが移動する範囲まで、穿設されている。
【００１４】
また、その他に、収納体２の内壁に固定するための固定用ブラケット７ｃと、この固定用ブラケット７ｃに設けられた固定用のネジ１２を挿通させるネジ用孔７ｄと、前記支持部７ａの上側一端縁から垂設させた弾性部材の一部を引っ掛ける係止板７ｅとがある。前記衝撃止め部７ｂには、図５（Ｂ）に示すように、上下で対向配置に設定された平板７ｆ，７ｇの間隔ａを調節する調節手段７ｈが設けられている。前記平板７ｆ，７ｇには、上下に軸心を合わせて軸用孔７ｉが設けられている。  
【００１５】
前記調節手段７ｈは、図３に示すように、前記上下の軸孔７ｉに間隔ａとなる段部が形成された調節ボルト１３が挿通され、前記間隔ａが経年変化で広がらないようにする緩み止め用のストッパーバネ１４と、該ストッパーバネ１４を調節ボルト１３に嵌装させて維持するプッシュナット１５とが装着されて、構成されている。このようにして基台７が形成されるものであり、また、図６は、反対勝手に使用する場合の対称形の基台７を示す。
【００１６】
前記煽り本体８は、図７（Ａ）〜（Ｄ）に示すように、略中央部に回転自在に支持するためのコ字型支持部８ｃがあり、前記煽り止め用回転軸６を上下に挿通させる貫通孔８ｄが設けられている。また、係合部８ａは、開閉扉５の内溝５ａに摺接するので略円形状に形成されると共に、その内溝５ａに入り込むために起立部８ｅが設けられている。更に、後方の他端部における回動止め部８ｂは、平板状の板８ｆ表裏面から上下に膨出する突出部に形成されている。この位置実施例では、図７（Ｄ）に示すように、ピンを孔にいれてかしめて形成しているが、これに限らず、前記板８ｆを互い違いにハーフパンチで打ち抜いて膨出させるようにして形成してもよい。また、図８は、反対勝手に使用する場合の対称形の煽り本体８を示す。
【００１７】
このような煽り止め装置１により、その使用方法を説明すると、まず、ロッカー等の箱形収納体２に開閉扉５が閉まった状態を初期状態として、前記開閉扉５の錠前を解錠する。開閉扉５の先端部から突出していたロック用カマが内側に引き戻され、係止状態が解除される。すると、図１において、平面視して時計方向に捻られていた弾性部材（コイルスプリング）９の付勢力により、煽り本体８の係合部８ａを介して開閉扉５が少しの角度範囲（ｂ）で拡開する。これにより、取っ手の付いていない開閉扉５を手で操作できる。
【００１８】
この状態では、煽り本体８の回転止め部８ｂが、貫通孔７ｍの反時計方向側に当接している。次に、手で前記開閉扉５を拡開させる。前記弾性部材９は、開閉扉５が少し拡開したことで付勢力ゼロの状態から、今度は、反時計方向に拡開される開閉扉５により捻られることになる。図１に示す角度範囲ｃの範囲では、前記回転止め部８ｂが基台７の対向配置にされた平板７ｆ，７ｇの間にあって摺接しており、摩擦力が作用している。よって、操作する者の手には、弾性部材９の付勢力に抗する抵抗力と共に、前記摩擦力による抵抗力を感じる。
【００１９】
そして、更に角度範囲ｄの範囲で、前記開閉扉５を手で９０°またはそれ以上に拡開させる。前記角度範囲ｃを越えると、弾性部材９の抵抗力だけとなる。操作者が箱形収納体２の内部に荷物を入れた後、開閉扉５から手を離すと、反時計方向に捻られた弾性部材９の付勢力により、前記開閉扉５が時計方向に回転される。
【００２０】
前記開閉扉５とともに同方向に揺動される煽り本体８の回転止め部８ｂが、基台７の衝撃止め部７ｂに衝突して、両平板７ｆ，７ｇの間を擦りながら貫通孔７ｍに至る。開閉扉５の回転エネルギーが減衰されて、開閉扉５が回転停止する。
【００２１】
前記開閉扉５の状態は、施錠状態から少し拡開された状態と同じであり、操作者は、手で開閉扉５を時計方向に押しつけて、この開閉扉５を箱形収納体２に閉蓋する。これにより、開閉扉５の錠前におけるロック用カマが先端側から突出して自動ロックされる。
【００２２】
また、同時に、前記煽り本体８の回転止め部８ｂは、貫通孔７ｍの時計方向側に当接しているとともに、弾性部材９は、時計方向に少し捻られて、扉開閉用の付勢力が蓄積されることになる。その後、荷物を取り出すには、錠前を解錠するだけで良く、自動的に開閉扉５が少し拡開した状態になるので、手で開閉扉５を更に拡開させて、荷物を取り出すことができる。
【００２３】
以上のようにして、煽り止め装置１が作用して、取っ手の無い開閉扉５の開閉作用において、安全性が高められ、煽られることもなく、また、閉じる場合もいきなり閉じてしまって、残りの荷物を入れるのに再び扉を開けなければならないような煩わしさがない。なお、開閉扉５が少し拡開した状態を初期状態としても良く、このままであっても、外見上で未使用状態であることが直ぐに判るので、そのような使い勝手でも良い。
【図面の簡単な説明】
【００２４】
【図１】本発明に係る煽り止め装置１の使用状態を示す平面図である。
【図２】同本発明の煽り止め装置１による開閉扉５の開閉状態を示す説明図である。
【図３】同煽り止め装置１の正面図である。
【図４】同煽り止め装置１を収納体２の中に固定した状態を示す側面図である。
【図５】同煽り止め装置１における基台７の、平面図（Ａ）、正面図（Ｂ）、側面図（Ｃ），（Ｄ）、底面図（Ｅ）である。
【図６】反対勝手の基台７の側面図である。
【図７】同煽り止め装置１における煽り本体８の、平面図（Ａ）、側面図（Ｂ）、正面図（Ａ）、一部拡大して示す回転止め部８ｂの説明図（Ｄ）である。
【図８】同煽り止め本体８の反対勝手の側面図である。
【符号の説明】
【００２５】
１          煽り止め装置、
２          箱形収納体、
３          一側面開口部、
４          開閉扉用回転軸、
５          開閉扉、                  ５ａ        内溝、  
６          煽り止め用回転軸、
７          基台、                    ７ａ        支持部、
７ｂ        衝撃止め部、              ７ｃ        固定用ブラケット、
７ｄ        ネジ用孔、                ７ｅ        係止板、
７ｆ，７ｇ  平板、                    ７ｈ        調節手段、
７ｉ        軸用孔、                  ７ｊ，７ｋ  貫通孔、
７ｍ        貫通孔、
８          煽り本体、                ８ａ        係合部、
８ｂ        回動止め部、              ８ｃ        支持部、
８ｄ        貫通孔、                  ８ｅ        起立部、
８ｆ        板、  
９          弾性部材、
１０        軸支持部材、
１１        裏板、
１２        ネジ、
１３        調節ボルト、
１４        ストッパーバネ、
１５        プッシュナット。
【図１】
0004966222.tif 000002
【図２】
0004966222.tif 000003
【図３】
0004966222.tif 000004
【図４】
0004966222.tif 000005
【図５】
0004966222.tif 000006
【図６】
0004966222.tif 000007
【図７】
0004966222.tif 000008
【図８】
0004966222.tif 000009